(57)【特許請求の範囲】
【請求項１】
室内ユニット(１)と、
ヒータ(１３)を用いた加熱により生成された加湿空気を上記室内ユニット(１)に供給する加湿ユニット(３)と、
上記加湿ユニット(３)の上記加湿空気が吹き出す出口と上記室内ユニット(１)との間の風通路の切り換えを行う切換機構(１５)と、
上記加湿ユニット(３)と上記切換機構(１５)を制御する制御装置(３０)と
を備え、
上記制御装置(３０)は、
上記切換機構(１５)の凍結条件を満たしているか否かを判定する凍結判定部(３０a)を有し、
上記加湿ユニット(３)の加湿運転中に上記凍結判定部(３０a)が上記切換機構(１５)の凍結条件を満たしていると判定すると、上記加湿運転中に上記切換機構(１５)が凍結しないように上記ヒータ(１３)の出力を制御して、上記加湿ユニット(３)の出口から吹き出す上記加湿空気の温度を制御する凍結防止運転を行うことを特徴とする空気調和機。
【請求項２】
請求項１に記載の空気調和機において、
上記制御装置(３０)は、上記加湿ユニット(３)の出口から吹き出す上記加湿空気の温度が氷点下にならないように上記ヒータ(１３)の出力を制御することにより、上記凍結防止運転を行うことを特徴とする空気調和機。
【請求項３】
請求項１または２に記載の空気調和機において、
上記制御装置(３０)は、上記加湿ユニット(３)の加湿運転の停止指令を受けると、その加湿運転の停止前に上記凍結判定部(３０a)により上記切換機構(１５)の凍結条件を満たしているか否かを判定して、上記凍結判定部(３０a)が上記切換機構(１５)の凍結条件を満たしていると判定すると、上記凍結防止運転を行うことを特徴とする空気調和機。
【請求項４】
請求項１乃至３のいずれか１つに記載の空気調和機において、
上記加湿ユニット(３)の加湿運転を設定時間後に停止するための切タイマ(ＴＭ１)を備え、
上記制御装置(３０)は、上記切タイマ(ＴＭ１)の終了により加湿運転を停止する前に上記凍結判定部(３０a)により上記切換機構(１５)の凍結条件を満たしているか否かを判定して、上記凍結判定部(３０a)が上記切換機構(１５)の凍結条件を満たしていると判定すると、上記凍結防止運転を行うことを特徴とする空気調和機。
【請求項５】
請求項１乃至４のいずれか１つに記載の空気調和機において、
上記制御装置(３０)は、上記加湿ユニット(３)の加湿運転中の所定間隔毎に、上記凍結判定部(３０a)により上記切換機構(１５)の凍結条件を満たしているか否かを判定して、上記凍結判定部(３０a)が上記切換機構(１５)の凍結条件を満たしていると判定すると、上記凍結防止運転を行うことを特徴とする空気調和機。
【発明の詳細な説明】
【技術分野】
【０００１】
この発明は、空気調和機に関し、詳しくは加湿機能を有する空気調和機に関する。
【背景技術】
【０００２】
従来、空気調和機としては、室外の加湿ユニットから室内に加湿空気を搬送する加湿通路内に切換ダンパを設けたものがある(例えば、特開２００４−７７０８２号公報(特許文献１)参照)。この加湿ユニットを備えた空気調和機では、加湿運転時や換気運転時には切換ダンパを開状態にし、運転停止時には切換ダンパを閉状態にして加湿通路を閉鎖している。
【０００３】
上記空気調和機では、加湿通路内に設けられた切換ダンパの開閉動作を検出するリミットスイッチを備え、このリミットスイッチにより運転開始時に切換ダンパの異常判定を行い、切換ダンパ異常と判定し、かつ、外気温度が低いときに、切換ダンパが凍結していると判断して、切換ダンパに対する解凍運転を行っている。
【０００４】
一方、上記空気調和機において、加湿運転から停止するときは、切換ダンパの異常検出をしたとしても、ユーザーが停止を要求しているため、数分を要する解凍運転はできず、このときは切換ダンパの異常検出は行っておらず、切換ダンパが凍結していた場合は、開いた状態で切換ダンパが停止することになる。
【０００５】
このような停止中に切換ダンパが開いた状態では、冬季に室内側の高温の空気が室外側に移動するとともに室外側の低温空気が室内側に移動する。このとき、室内側の空気が屋外に移動するときは、屋外側で加湿通路内に結露が発生し、加湿通路内が結露した状態で加湿運転を行うと、異音が生じるという不具合がある。また、室内側では、屋外の低温の外気の流入により、切換ダンパが全閉のときよりも室内温度の低下が早くなる。
【特許文献１】特開２００４−７７０８２号
【発明の開示】
【発明が解決しようとする課題】
【０００６】
そこで、この発明の課題は、加湿ユニットと室内ユニットとの間の風通路を切り換える切換機構の加湿運転中の凍結を防止でき、加湿運転停止時に切換機構を確実に全閉できる空気調和機を提供することにある。
【課題を解決するための手段】
【０００７】
上記課題を解決するため、この発明の空気調和機は、
室内ユニットと、
ヒータを用いた加熱により生成された加湿空気を上記室内ユニットに供給する加湿ユニットと、
上記加湿ユニットの上記加湿空気が吹き出す出口と上記室内ユニットとの間の風通路の切り換えを行う切換機構と、
上記加湿ユニットと上記切換機構を制御する制御装置と
を備え、
上記制御装置は、
上記切換機構の凍結条件を満たしているか否かを判定する凍結判定部を有し、
上記加湿ユニットの加湿運転中に上記凍結判定部が上記切換機構の凍結条件を満たしていると判定すると、上記加湿運転中に上記切換機構が凍結しないように上記ヒータの出力を制御して、上記加湿ユニットの出口から吹き出す上記加湿空気の温度を制御する凍結防止運転を行うことを特徴とする。
【０００８】
上記構成の空気調和機によれば、上記加湿ユニットの加湿運転中に、加湿ユニットの加湿空気が吹き出す出口と室内ユニットとの間の風通路を切り換える切換機構の凍結条件を満たしているか否かを凍結判定部により判定すると、上記制御装置により、切換機構が凍結しないようにヒータの出力を制御して、加湿ユニットの出口から吹き出す加湿空気の温度を制御することによって、加湿運転中の切換機構の凍結を防止することができ、加湿運転停止時に切換機構を確実に全閉できる。ここで、加湿ユニットの出口から吹き出す加湿空気の温度の制御は、ヒータの出力を制御したり、加湿空気の風量を制御したり、それらを組み合わせてもよく、他の方法による温度制御であってもよい。
【０００９】
また、一実施形態の空気調和機では、上記制御装置は、上記加湿ユニットの出口から吹き出す上記加湿空気の温度が氷点下にならないように上記ヒータの出力を制御することにより、上記凍結防止運転を行う。
【００１０】
上記実施形態によれば、上記加湿ユニットの出口から吹き出す加湿空気の温度が氷点下にならないようにヒータの出力を制御することにより、加湿ユニットの出口から吹き出す加湿空気の温度を切換機構が凍結しない温度にして凍結防止運転を行うので、切換機構の凍結を確実に防止できる。
【００１１】
また、一実施形態の空気調和機では、上記制御装置は、上記加湿ユニットの加湿運転の停止指令を受けると、その加湿運転の停止前に上記凍結判定部により上記切換機構の凍結条件を満たしているか否かを判定して、上記凍結判定部が上記切換機構の凍結条件を満たしていると判定すると、上記凍結防止運転を行う。
【００１２】
上記実施形態によれば、上記制御装置は、加湿ユニットの加湿運転の停止指令を受けて、凍結判定部が加湿運転の停止前に切換機構の凍結条件を満たしていると判定したとき、上記凍結防止運転を行うことによって、加湿運転停止時の切換機構の凍結を確実に防止できる。
【００１３】
また、一実施形態の空気調和機では、
上記加湿ユニットの加湿運転を設定時間後に停止するための切タイマを備え、
上記制御装置は、上記切タイマの終了により加湿運転を停止する前に上記凍結判定部により上記切換機構の凍結条件を満たしているか否かを判定して、上記凍結判定部が上記切換機構の凍結条件を満たしていると判定すると、上記凍結防止運転を行う。
【００１４】
上記実施形態によれば、上記制御装置は、切タイマの終了により加湿運転を停止する前に凍結判定部が切換機構の凍結条件を満たしていると判定したとき、上記凍結防止運転を行うことによって、切タイマの終了による加湿運転停止時の切換機構の凍結を確実に防止できる。
【００１５】
また、一実施形態の空気調和機では、上記制御装置は、上記加湿ユニットの加湿運転中の所定間隔毎に、上記凍結判定部により上記切換機構の凍結条件を満たしているか否かを判定して、上記凍結判定部が上記切換機構の凍結条件を満たしていると判定すると、上記凍結防止運転を行う。
【００１６】
上記実施形態によれば、上記制御装置は、加湿ユニットの加湿運転中の所定間隔毎に、凍結判定部により切換機構の凍結条件を満たしているか否かを判定して、凍結判定部が切換機構の凍結条件を満たしていると判定したとき、上記凍結防止運転を行うことによって、加湿運転中の切換機構の凍結を確実に防止できる。また、頻繁に凍結防止運転を行わないので、省エネルギー化が図れる。
【発明の効果】
【００１７】
以上より明らかなように、この発明の空気調和機によれば、加湿ユニットと室内ユニットとの間の風通路を切り換える切換機構の加湿運転中の凍結を防止でき、加湿運転停止時に切換機構を確実に全閉できる空気調和機を実現することができる。
【００１８】
また、一実施形態の空気調和機によれば、加湿ユニットの出口から吹き出す加湿空気の温度が氷点下にならないようにヒータの出力を制御することにより、加湿ユニットの出口から吹き出す加湿空気の温度を切換機構が凍結しない温度にして凍結防止運転を行うので、切換機構の凍結を確実に防止することができる。
【００１９】
また、一実施形態の空気調和機によれば、加湿ユニットの加湿運転の停止指令を受けて、凍結判定部が加湿運転の停止前に切換機構の凍結条件を満たしていると判定したとき、制御装置により凍結防止運転を行うことによって、加湿運転停止時の切換機構の凍結を確実に防止することができる。
【００２０】
また、一実施形態の空気調和機によれば、切タイマの終了により加湿運転を停止する前に凍結判定部が切換機構の凍結条件を満たしていると判定したとき、制御装置により凍結防止運転を行うことによって、切タイマの終了による加湿運転停止時の切換機構の凍結を確実に防止することができる。
【００２１】
また、一実施形態の空気調和機によれば、加湿ユニットの加湿運転中の所定間隔毎に、凍結判定部により切換機構の凍結条件を満たしているか否かを判定して、凍結判定部が切換機構の凍結条件を満たしていると判定したとき、制御装置により凍結防止運転を行うことによって、加湿運転中の切換機構の凍結を確実に防止することができると共に、省エネルギー化を図ることができる。
【発明を実施するための最良の形態】
【００２２】
以下、この発明の空気調和機を図示の実施の形態により詳細に説明する。
【００２３】
〔第１実施形態〕
図１はこの発明の第１実施形態の加湿ユニットを備えた空気調和機の概略構成図である。この空気調和機は、図１に示すように、室内ユニット１と、上記室内ユニット１に連絡配管(図示せず)を介して接続された室外ユニット２と、上記室外ユニット２上に載置され、風通路の一例としての加湿ダクト４を介して室内ユニット１と接続された加湿ユニット３とを備えている。上記加湿ユニット３においてヒータ１３(図２に示す)を用いた加熱により生成された加湿空気を加湿ダクト４と室内ユニット１を介して室内に供給する。
【００２４】
図２は上記加湿ユニット３の断面模式図を示しており、図２に示すように、加湿ユニット３は、吸湿ファン１１と、上記吸湿ファン１１により吸い込まれた室外空気を通過させて水分を吸着する吸着領域と水分を脱着する脱着領域とを有する円板形状の加湿ロータ１２と、上記加湿ロータ１２の脱着領域の上流側に配置されたヒータ１３と、上記加湿ロータ１２の脱着領域の下流側に配置された加湿ファン１４と、上記ヒータ１３と加湿ロータ１２の脱着領域と加湿ファン１４を通る通路Ｐの出口近傍に設けられた切換機構１５とを備えている。上記加湿ロータ１２とヒータ１３と加湿ファン１４と切換機構１５をケーシング１０内に配置している。
【００２５】
上記加湿ロータ１２は、シリカゲル,ゼオライト,アルミナ等の吸着材が例えばハニカム状または多孔多粒状に成形されており、軸を中心に加湿ロータ駆動部２２(図４に示す)によって回転する。上記加湿ロータ１２は、吸湿ファン１１により吸い込まれた室外空気から吸着領域で吸湿する(水分を吸着する)。一方、上記通路Ｐの加湿ロータ１２よりも上流側のヒータ１３で加熱された空気が加湿ロータ１２の脱着領域を通るときに、加湿ロータ１２によって加湿される(加湿ロータ１２から水分を脱着する)。このように、上記通路Ｐの空気から加湿ロータ１２が吸着した水分は、ヒータ１３によって加熱された空気によって脱着されて、この空気が加湿される。そうして加湿された空気は、加湿ファン１４によって加湿ダクト４に送られる。
【００２６】
図３Ａは図２に示す要部Ａの切換機構１５が閉状態の断面模式図を示しており、切換機構１５は、図示しない切換機構駆動部２１(図４に示す)によりケーシング１０内を水平方向に移動する。図３Ａでは、切換機構１５が左側に移動して出口１０aを閉じている。上記ケーシング１０内の加湿ファン１４と切換機構１５との間に温度センサ１６を配置している。すなわち、通路Ｐにおいて、温度センサ１６は、加湿ロータ１２の脱着領域の下流側に配置されている。
【００２７】
また、図３Ｂは図２に示す要部Ａの切換機構１５が開状態の断面模式図を示しており、図３Ｂでは、切換機構１５が右側に移動して出口１０aを開いている。
【００２８】
図４は上記空気調和機の要部のブロック図を示しており、この空気調和機は、図４に示すように、温度センサ１６に基づいて、吸湿ファン１１,ヒータ１３,加湿ファン１４,切換機構１５,切換機構駆動部２１および加湿ロータ駆動部２２などを制御する制御装置３０を室外ユニット２側に備えている。なお、制御装置３０は、室外ユニット２の図示しない室外ファンや圧縮機などの制御も行う。上記制御装置３０は、マイクロコンピュータおよび入出力回路などからなり、切換機構１５の凍結条件を満たしているか否かを判定する凍結判定部３０aと、切タイマＴＭ１とを有している。
【００２９】
上記制御装置３０は、加湿ユニット３による加湿運転時、図５に示す加湿空気の吹出温度のゾーン図にしたがって、加湿空気の吹出温度が制御される。図５に示すように、加湿空気の吹出温度の高い温度から順に、第１温度Ｄ、第２温度Ｃ、第３温度Ｂ、第４温度Ａで分割された復帰域、垂下域、無変化域、ヒータオン兼アップ域が設定されている。この第１実施形態では、第１温度Ｄを６℃、第２温度Ｃを４℃、第３温度Ｂを２℃、第４温度Ａを０℃としている。
【００３０】
上記温度センサ１６により検出された加湿空気の吹出温度に基づいて、加湿空気の吹出温度が目標温度(無変化域)になるように、ヒータ１３の出力を制御する。すなわち、加湿空気の吹出温度がヒータオン兼アップ域のときはヒータ１３の出力を大きくし、加湿空気の吹出温度が無変化域のときはヒータ１３の出力を変えず、加湿空気の吹出温度が垂下域のときはヒータ１３の出力を小さくする。
【００３１】
図６は上記空気調和機の制御装置３０の加湿運転時の動作を説明するためのフローチャートを示しており、図７は図６に示す加湿運転制御のフローチャートを示している。
【００３２】
以下、図６,図７に従って上記制御装置３０の動作を説明する。通常、暖房運転開始時または暖房運転中に、加湿運転指令により加湿ユニット３の加湿運転を開始する。
【００３３】
まず、処理がスタートすると、図６に示すように、ステップＳ１で加湿ユニット３の停止から加湿運転をするのか否かを判定して、加湿運転をするときはステップＳ２に進む。
【００３４】
次に、ステップＳ２で切換機構１５の異常判定を行う。ここで、切換機構１５の異常判定は、リミットスイッチなどにより切換機構１５が開状態であるべきときに閉状態であることを検出することにより異常判定を行ってもよいし、切換機構１５が閉状態になって、ヒータ１５の下流側に配置された温度センサ１６の検出温度が異常上昇することにより、異常判定を行ってもよい。
【００３５】
次に、ステップＳ３に進み、切換機構１５に異常が発生したと判定すると、ステップＳ４に進む一方、切換機構１５に異常が発生していないと判定すると、ステップＳ１０に進み、加湿運転制御を行う。
【００３６】
そして、ステップＳ４で外気温度が０℃以下であると判定すると、ステップＳ５に進む一方、外気温度が０℃以下でないと判定すると、ステップＳ１１に進む。
【００３７】
ステップＳ５では、切換機構１５が凍結している疑いありとして、ステップＳ６に進み、解凍運転を行う。この解凍運転では、図２に示す吸湿ファン１１や加湿ロータ１２を停止して、ヒータ１３をオンした状態で加湿ファン１４を運転することにより、切換機構１５に向かって温風を所定時間吹き出す。
【００３８】
次に、ステップＳ７に進み、切換機構１５の異常判定を行って、ステップＳ８に進み、切換機構１５に異常が発生したと判定すると、ステップＳ９に進む一方、切換機構１５に異常が発生していないと判定すると、ステップＳ１０の加湿運転制御に進む。
【００３９】
そして、ステップＳ９で異常回数が所定値か否かを判定して、異常回数が所定値であるとき、ステップＳ１１に進む一方、異常回数が所定値でないとき、ステップＳ６に戻り、解凍運転を繰り返す。この異常回数は、ステップＳ１において加湿ユニット３の停止から加湿運転をすると判定したときにゼロに初期設定される。
【００４０】
ステップＳ１１では、切換機構１５の異常が確定し、ステップＳ１２に進み、切換機構１５の異常処理を行う。例えば、加湿ユニット３の加湿運転を行わず、切換機構１５の異常を表示または音声より使用者などに報知する。
【００４１】
上記空気調和機の加湿ユニット３の加湿運転開始時に、切換機構１５の凍結によるロック状態と判定したとき、その状態が解消されるまで、解凍運転を所定回数繰り返すことにより、加湿運転開始前に切換機構１５の凍結によるロック状態を解消することができる。また、加湿運転開始時に、解凍運転を所定の回数繰り返しても、切換機構１５の凍結によるロック状態を解消できないときは、加湿運転を止めて異常を通知することにより、製品の信頼性が向上する。なお、加湿ユニット３の加湿運転を止めても、空気調和機の暖房運転を継続してもよい。
【００４２】
そして、ステップＳ１０の加湿運転制御では、図７に示すステップＳ２０で加湿運転を開始した後、ステップＳ２１に進み、凍結判定部３０aにより切換機構１５の凍結条件が成立しているか否かを判定する。ここで、切換機構１５の凍結条件として、例えば、加湿運転中に、外気温度が０℃以下で、かつ、加湿空気の吹出温度が所定温度以下のとき、凍結条件が成立したとする。なお、凍結判定部３０aにより判定する切換機構１５の凍結条件は、この実施形態に限らず、加湿運転に用いる制御パラメータなどの他の条件を用いてもよい。
【００４３】
そして、ステップＳ２１で切換機構１５の凍結条件が成立していると判定すると、ステップＳ２２に進み、凍結防止運転の制御を実行して、ステップＳ２４に進む。ここで、凍結防止運転は、ヒータ１３の出力を制御することによって、切換機構１５が凍結しないように加湿ユニット３の出口から吹き出す加湿空気の吹出温度を制御するものである。
【００４４】
一方、ステップＳ２１で切換機構１５の凍結条件が成立していないと判定すると、ステップＳ２３に進み、凍結防止運転の制御を解除して、ステップＳ２４に進む。
【００４５】
そして、ステップＳ２４では、加湿運転から停止するのか否かを判定して、加湿運転から停止するとき、ステップＳ２５に進む一方、加湿運転から停止しないときは、ステップＳ２１に戻る。
【００４６】
次に、ステップＳ２５で加湿運転停止処理を実行して、この処理を終了する。この加湿運転停止処理では、加湿ロータ１２と加湿ファン１４を停止し、ヒータ１３をオフして、切換機構１５を閉状態にする。
【００４７】
この第１実施形態の空気調和機によれば、加湿ユニット３と室内ユニット１との間の加湿ダクト４を切り換える切換機構１５の加湿運転中の凍結を防止でき、加湿運転停止時に切換機構１５を確実に全閉できる空気調和機を実現することができる。
【００４８】
また、加湿ユニット３の出口から吹き出す加湿空気の温度が氷点下にならないようにヒータ１３の出力を制御することにより、加湿ユニット３の出口から吹き出す加湿空気の温度を切換機構１５が凍結しない温度にして凍結防止運転を行うので、切換機構１５の凍結を確実に防止することができる。
【００４９】
〔第２実施形態〕
図８はこの発明の第２実施形態の加湿ユニットを備えた空気調和機の加湿運転制御のフローチャートを示しており、この第２実施形態の空気調和機は、制御装置３０の制御を除いて第１実施形態の空気調和機と同一の構成をしており、図１〜図６を援用する。
【００５０】
この第２実施形態の空気調和機では、図６のフローチャートに示す動作は同じであり、ステップＳ１０の加湿運転制御のみが異なる。
【００５１】
図８に示すステップＳ３０で加湿運転を開始した後、ステップＳ３１に進み、加湿運転の停止指令を受けて加湿運転から停止するのか否かを判定して、加湿運転を停止しないときはこのステップＳ３１を繰り返す。
【００５２】
一方、ステップＳ３１で加湿運転を停止するときは、ステップＳ３２に進み、凍結判定部３０aにより切換機構１５の凍結条件が成立しているか否かを判定する。
【００５３】
このステップＳ３２で切換機構１５の凍結条件が成立していると判定すると、ステップＳ３３に進む一方、切換機構１５の凍結条件が成立していないと判定すると、ステップＳ３３をスキップしてステップＳ３４に進む。
【００５４】
次に、ステップＳ３３で凍結防止運転の制御を実行して、ステップＳ３４に進み、加湿運転停止処理を実行して、この処理を終了する。この加湿運転停止処理では、加湿ロータ１２と加湿ファン１４を停止し、ヒータ１３をオフして、切換機構１５を閉状態にする。
【００５５】
このように、加湿運転の停止指令を受けて、凍結判定部３０aが加湿運転の停止前に切換機構１５の凍結条件を満たしていると判定したとき、制御装置３０により凍結防止運転を行うことによって、加湿運転停止時の切換機構１５の凍結を確実に防止することができる。
【００５６】
したがって、加湿運転停止時に切換機構１５を確実に全閉することができる。
【００５７】
〔第３実施形態〕
図９はこの発明の第３実施形態の加湿ユニットを備えた空気調和機の加湿運転制御のフローチャートを示しており、この第３実施形態の空気調和機は、制御装置３０の制御を除いて第１実施形態の空気調和機と同一の構成をしており、図１〜図６を援用する。
【００５８】
この第３実施形態の空気調和機では、図６のフローチャートに示す動作は同じであり、ステップＳ１０の加湿運転制御のみが異なる。
【００５９】
図９に示すステップＳ４０で加湿運転を開始した後、ステップＳ４１に進み、切タイマＴＭ１の設定の有無を判定して、切タイマＴＭ１が設定されていないときはこのステップＳ４１を繰り返す。ここで、切タイマＴＭ１には、加湿運転を停止する時刻を設定するが、切タイマＴＭ１の設定時間後に加湿運転を停止するようにしてもよく、加湿運転を停止する時刻を設定するのと同等である。
【００６０】
一方、ステップＳ４１で切タイマＴＭ１が設定されていると判定すると、ステップＳ４２に進み、現在時刻は切タイマＴＭ１の設定時刻のＡ分前を経過したか否かを判定する。ここで、切タイマＴＭ１の設定時間後に加湿運転を停止するようにした場合は、設定時間が終了するＡ分前に経過した否かを判定することになる。
【００６１】
そして、ステップＳ４２で現在時刻は切タイマＴＭ１の設定時刻のＡ分前を経過していないときは、ステップＳ４１に戻る一方、現在時刻は切タイマＴＭ１の設定時刻のＡ分前を経過したと判定すると、ステップＳ４３に進む。
【００６２】
次に、ステップＳ４３で凍結判定部３０aにより切換機構１５の凍結条件が成立しているか否かを判定する。そして、ステップＳ４３で切換機構１５の凍結条件が成立しているときはステップＳ４４に進む一方、切換機構１５の凍結条件が成立していないときはステップＳ４４をスキップしてステップＳ４５に進む。
【００６３】
次に、ステップＳ４４では、凍結防止運転の制御を実行して、ステップＳ４５に進む。
【００６４】
次に、ステップＳ４５で現在時刻が切タイマＴＭ１の設定時刻か否かを判定して、現在時刻が切タイマＴＭ１の設定時刻でないときはステップＳ４１に戻る。
【００６５】
一方、ステップＳ４５で現在時刻が切タイマＴＭ１の設定時刻のときはステップＳ４６に進み、加湿運転停止処理を実行して、この処理を終了する。この加湿運転停止処理では、加湿ロータ１２と加湿ファン１４を停止し、ヒータ１３をオフして、切換機構１５を閉状態にする。
【００６６】
このように、切タイマＴＭ１の終了により加湿運転を停止する前に凍結判定部３０aが切換機構の凍結条件を満たしていると判定したとき、制御装置３０により凍結防止運転を行うことによって、切タイマＴＭ１の終了による加湿運転停止時の切換機構１５の凍結を確実に防止することができる。
【００６７】
したがって、加湿運転停止時に切換機構１５を確実に全閉することができる。
【００６８】
〔第４実施形態〕
図１０はこの発明の第４実施形態の加湿ユニットを備えた空気調和機の加湿運転制御のフローチャートを示しており、この第４実施形態の空気調和機は、制御装置３０の制御を除いて第１実施形態の空気調和機と同一の構成をしており、図１〜図６を援用する。
【００６９】
この第４実施形態の空気調和機では、図６のフローチャートに示す動作は同じであり、ステップＳ１０の加湿運転制御のみが異なる。
【００７０】
図１０に示すステップＳ５０で加湿運転を開始した後、ステップＳ５１に進み、タイマＴＭ２をスタートして、ステップＳ５２に進む。
【００７１】
次に、ステップＳ５２でタイマＴＭ２がタイムアップしたか否か判定して、タイマＴＭ２がタイムアップしたときはステップＳ５３に進む一方、タイマＴＭ２がタイムアップしていないときはステップＳ５６に進む。
【００７２】
ステップＳ５６で加湿運転から停止するか否かを判定して、加湿運転から停止するときは、ステップＳ５７に進む一方、加湿運転から停止しないときはステップＳ５２に戻る。
【００７３】
次に、ステップＳ５３で凍結判定部３０aにより切換機構１５の凍結条件が成立しているか否かを判定する。そして、ステップＳ５３で切換機構１５の凍結条件が成立しているときはステップＳ５４に進む一方、切換機構１５の凍結条件が成立していないときは、ステップＳ５４をスキップして、ステップＳ５５に進む。
【００７４】
次に、ステップＳ５４では、凍結防止運転の制御を実行して、ステップＳ５５に進む。
【００７５】
そして、ステップＳ５５で加湿運転から停止するか否かを判定して、加湿運転から停止するときは、ステップＳ５７に進む一方、加湿運転から停止しないときはステップＳ５１に戻る。
【００７６】
次に、ステップＳ５７で加湿運転停止処理を実行して、この処理を終了する。この加湿運転停止処理では、加湿ロータ１２と加湿ファン１４を停止し、ヒータ１３をオフして、切換機構１５を閉状態にする。
【００７７】
このように、タイマＴＭ２を用いて、加湿ユニット３の加湿運転中の所定間隔毎に、凍結判定部３０aにより切換機構１５の凍結条件を満たしているか否かを判定して、凍結判定部３０aが切換機構１５の凍結条件を満たしていると判定したとき、制御装置３０により凍結防止運転を行うことによって、加湿運転中の切換機構１５の凍結を確実に防止することができると共に、省エネルギー化を図ることができる。
【００７８】
したがって、加湿運転停止時に切換機構１５を確実に全閉することができる。
【００７９】
上記第１〜第４実施形態では、切換機構駆動部２１により水平方向に移動させる切換機構１５について説明したが、切換機構の構成はこれに限らず、加湿ユニットと室内ユニットとの間の風通路の切り換えを行うものであればよい。
【００８０】
また、上記第１実施形態では、加湿運転中に常時凍結条件の判定をし、第２実施形態では、加湿運転の停止時に凍結条件の判定をし、第３実施形態では、切タイマＴＭ１の設定時間前に凍結条件の判定をし、第４実施形態では、加湿運転中にタイマＴＭ２を用いて定期的に凍結条件の判定をして凍結防止運転の制御を行ったが、上記第２,第３実施形態の加湿運転制御の少なくとも１つと、第１実施形態の加湿運転制御とを組み合わせてもよいし、第２,第３実施形態の加湿運転制御の少なくとも１つと、第４実施形態の加湿運転制御とを組み合わせてもよい。
【図面の簡単な説明】
【００８１】
【図１】図１はこの発明の第１実施形態の加湿ユニットを備えた空気調和機の概略構成図である。
【図２】図２は上記加湿ユニットの断面模式図である。
【図３Ａ】図３Ａは図２に示す要部Ａの切換機構が閉状態の断面模式図である。
【図３Ｂ】図３Ｂは図２に示す要部Ａの切換機構が開状態の断面模式図である。
【図４】図４は上記空気調和機の要部のブロック図である。
【図５】図５は加湿空気の吹出温度のゾーン図である。
【図６】図６は上記空気調和機の制御装置の加湿運転時の動作を説明するためのフローチャートである。
【図７】図７は図６に示す加湿運転制御のフローチャートである。
【図８】図８はこの発明の第２実施形態の加湿ユニットを備えた空気調和機の加湿運転制御のフローチャートである。
【図９】図９はこの発明の第３実施形態の加湿ユニットを備えた空気調和機の加湿運転制御のフローチャートである。
【図１０】図１０はこの発明の第４実施形態の加湿ユニットを備えた空気調和機の加湿運転制御のフローチャートである。
【符号の説明】
【００８２】
１…室内ユニット
２…室外ユニット
３…加湿ユニット
４…加湿ダクト
１０…ケーシング
１２…加湿ロータ
１３…ヒータ
１４…加湿ファン
１５…切換機構
１６…温度センサ
２１…切換機構駆動部
２２…加湿ロータ駆動部
３０…制御装置
３０a…凍結判定部
Ｐ…通路
ＴＭ１…切タイマ
ＴＭ２…タイマ
【図１】
0004379512.tif 000002
【図２】
0004379512.tif 000003
【図３Ａ】
0004379512.tif 000004
【図３Ｂ】
0004379512.tif 000005
【図４】
0004379512.tif 000006
【図５】
0004379512.tif 000007
【図６】
0004379512.tif 000008
【図７】
0004379512.tif 000009
【図８】
0004379512.tif 000010
【図９】
0004379512.tif 000011
【図１０】
0004379512.tif 000012